(57)【要約】【課題】容器本体及び蓋体間に浄水器用カートリッジを容易かつ短時間に着脱することができる浄水器を提供する。【解決手段】有底筒状の容器本体１２内に浄水器用カートリッジ１８を挿入し、その浄水器用カートリッジ１８の底部を容器本体１２の内底部に当接させて位置規制する。この状態で、容器本体１２の上端開口部に蓋体１３を閉鎖装着することにより、浄水器用カートリッジ１８の頂部中心に突設した出口１９がシールリング２０を介して、蓋体１３の頂壁中心に設けた流出口１７に嵌合されるように構成する。【選択図】　　　図１
2004082067.tif 000002
【特許請求の範囲】
【請求項１】
有底筒状の容器本体と、その容器本体の上端開口部を閉鎖する蓋体との間に、浄水器用カートリッジを着脱可能に収容配置するようにした浄水器において、
前記浄水器用カートリッジの底部を容器本体の内底部に当接させて位置規制し、容器本体の上端開口部に蓋体を閉鎖装着したとき、浄水器用カートリッジの頂部に突設した出口がシールリングを介して、蓋体の頂壁に設けた流出口に嵌合されるように構成したことを特徴とする浄水器。
【請求項２】
前記出口を浄水器用カートリッジの頂部中心に突設し、前記流出口を蓋体の頂壁中心に設けたことを特徴とする請求項１に記載の浄水器。
【発明の詳細な説明】
【０００１】
【発明の属する技術分野】
この発明は、水道水等の原水を浄化する場合に使用される浄水器に関するものである。
【０００２】
【従来の技術】
従来、この種の浄水器としては、例えば図５に示すような構成のものが提案されている。すなわち、この従来構成においては、有底円筒状の容器本体４１の上端開口部に、蓋体４２がシールリング４３を介して止め具４４により着脱可能に取り付けられている。蓋体４２の頂壁には原水の流入口４５及び浄化後の浄水の流出口４６が配設され、その流出口４６の内周面には雌ネジ４６ａが形成されている。
【０００３】
前記蓋体４２の下面には浄水器用カートリッジ４７が垂下状態で着脱可能に取り付けられて容器本体４１内に収容されている。そして、この浄水器用カートリッジ４７の垂下状態では、浄水器用カートリッジ４７と容器本体４１内との間における上部、下部及び周側部にて所定の隙間が形成されている。そして、浄水器用カートリッジ４７の頂部には出口４８が突設され、その外周面には雄ネジ４８ａが形成されている。
【０００４】
そして、この雄ネジ４８ａを前記雌ネジ４６ａに螺合させることにより、浄水器用カートリッジ４７の出口４８が蓋体４２の流出口４６に連結されて、浄水器用カートリッジ４７が蓋体４２に垂下固定される。この状態で、浄水器用カートリッジ４７を容器本体４１内に挿入して、止め具４４により蓋体４２を容器本体４１の上端開口部に装着することにより、浄水器用カートリッジ４７が容器本体４１内に垂下状態で収容配置されるようになっている。
【０００５】
【発明が解決しようとする課題】
ところが、この従来の浄水器においては、浄水器用カートリッジ４７を脱着交換する場合、蓋体４２を容器本体４１の上端開口部から取り外した状態で、浄水器用カートリッジ４７を蓋体４２に対してネジ戻しまたはネジ込み操作する必要がある。このため、浄水器用カートリッジ４７の着脱操作が面倒で時間がかかるという問題があった。そして、蓋体４２には、原水の流入パイプ及び浄水の流出パイプが接続されているため、蓋体４２の移動が拘束され、着脱操作がさらに面倒になるのが通常であった。特に、浄水器がジュース等のディスペンサに用いられた場合には、その浄水器がディスペンサ内の隅部や、ディスペンサの裏等の目立たないところ、つまり作業しにくいところに配置されるため、前記の着脱操作が手探りになり、困難を極めた。
【０００６】
この発明は、このような従来の技術に存在する問題点に着目してなされたものである。その目的は、容器本体及び蓋体間に浄水器用カートリッジを容易かつ短時間に着脱することができる浄水器を提供することにある。
【０００７】
【課題を解決するための手段】
上記の目的を達成するために、請求項１に記載の発明は、有底筒状の容器本体と、その容器本体の上端開口部を閉鎖する蓋体との間に、浄水器用カートリッジを着脱可能に収容配置するようにした浄水器において、前記浄水器用カートリッジの底部を容器本体の内底部に当接させて位置規制し、容器本体の上端開口部に蓋体を閉鎖装着したとき、浄水器用カートリッジの頂部に突設した出口がシールリングを介して、蓋体の頂壁に設けた流出口に嵌合されるように構成したことを特徴とするものである。
【０００８】
従って、この請求項１に記載の発明によれば、容器本体の上端開口部に蓋体を取り付けまたは取り外すという簡単な操作のみにより、容器本体及び蓋体間において浄水器用カートリッジを容易に着脱することができ、特に浄水器をディスペンサ用として使用した場合に有効である。
【０００９】
請求項２に記載の発明は、請求項１に記載の発明において、前記出口を浄水器用カートリッジの頂部中心に突設し、前記流出口を蓋体の頂壁中心に設けたことを特徴とするものである。
【００１０】
従って、この請求項２に記載の発明によれば、浄水器用カートリッジを容器本体に対して、所定位置に位置合わせして取り付ける必要がなく、浄水器用カートリッジの着脱を一層容易に行うことができる。
【００１１】
【発明の実施の形態】
（第１実施形態）
以下に、この発明の第１実施形態を、図１及び図２に基づいて説明する。この第１の実施形態は、ジュース類分与装置（ディスペンサ）用の浄水器として具体化される。
【００１２】
図１に示すように、この浄水器１１の容器本体１２は有底円筒状に形成され、その上端開口部には蓋体１３がシールリング１４を介して止め具１５により着脱可能に取り付けられている。前記容器本体１２及び蓋体１３は、アルミニウム合金やステンレスステール等の金属よりなる。蓋体１３の頂壁の中心より偏倚した位置には、水道水等の原水を流入させるための円筒状の流入口１６が配設されている。蓋体１３の頂壁の中心には、浄化後の浄水を流出させるための円筒状の流出口１７が配設されている。
【００１３】
前記容器本体１２と蓋体１３との間には、浄水器用カートリッジ１８がその周側部と容器本体１２との間に所定の空隙をおいた状態で着脱可能に収容配置されている。すなわち、浄水器用カートリッジ１８の頂部の中心には円筒状の出口１９が突設され、その外面にはシールリング２０が嵌着されている。そして、容器本体１２内に浄水器用カートリッジ１８を挿入することにより、その浄水器用カートリッジ１８の底部が容器本体１２の内底部に当接して位置規制されるようになっている。また、この状態で容器本体１２の上端開口部に蓋体１３を閉鎖装着することにより、浄水器用カートリッジ１８上の出口１９がシールリング２０を介して、蓋体１３の流出口１７に嵌合されるようになっている。
【００１４】
図１に示すように、前記浄水器用カートリッジ１８は、濾過部２１と、その濾過部２１の上端部に取り付けられた上蓋２２と、濾過部２１の下端部に取り付けられた下蓋２３とを備えている。そして、上蓋２２の上面の中心に前記出口１９が一体に突出形成されている。濾過部２１は、多孔質材料よりなる大径円筒状の外側フィルタ２４と、その外側フィルタ２４内に同一軸線上に配置された多孔質材料よりなる小径円筒状の内側フィルタ２５とを備えている。外側フィルタ２４と内側フィルタ２５との間の円筒状の空隙には、粒状活性炭よりなる濾材２６が充填されている。
【００１５】
そして、この浄水器１１の使用時には、水道水等の原水が容器本体１２の流入口１６から流入されて、容器本体１２内に満たされる。この状態で、流出口１７に接続された図示しない浄水を供給するための給水パイプ中の給水バルブが開放されると、容器本体１２内の原水が外側フィルタ２４、濾材２６及び内側フィルタ２５を通過して、内側フィルタ２５内の連通路２７に流される。これによって、原水に含まれる異物や細菌等が除去浄化される。その後、浄化された浄水が連通路２７から出口１９及び流出口１７を介して、前記給水パイプ側に流出されるようになっている。
【００１６】
図１及び図２に示すように、前記容器本体１２の底壁は内側に向かって球面凸状に形成され、その内面には補強手段としての平面形ほぼ十字状の突条２８が形成されている。なお、この突条２８が浄水器用カートリッジ１８の底部に当接することにより、容器本体１２の内底部と浄水器用カートリッジ１８の底部との間に空隙Ｓが形成される。このため、浄水器用カートリッジ１８が原水を下端側から導入する形式であっても、その原水の通過に支障を生じない。これにより、従来構成のように浄水器用カートリッジ１８が宙吊り状態でなくても、容器本体１２の内底部に原水が滞留するのが抑制されるようになっており、従って、突条２８により原水の滞留を抑制するための抑制手段が構成されている。
【００１７】
次に、前記のように構成された浄水器１１の作用を説明する。
さて、この浄水器１１において、浄水器用カートリッジ１８を脱着交換する場合には、止め具１５を緩めて、容器本体１２の上端開口部から蓋体１３を取り外すと、浄水器用カートリッジ１８上の出口１９を蓋体１３の流出口１７からワンタッチで離脱させることができる。よって、この状態で容器本体１２内から浄水器用カートリッジ１８を取り出して、新しいものと容易に入れ替えることができる。
【００１８】
そして、新しい浄水器用カートリッジ１８の装着時には、浄水器用カートリッジ１８を容器本体１２内に挿入することにより、その底部が容器本体１２の内底部に当接されて上下方向に位置規制される。この状態で、容器本体１２の上端開口部に蓋体１３を閉鎖して止め具１５により固定すれば、浄水器用カートリッジ１８上の出口１９がシールリング２０を介して、蓋体１３の流出口１７に嵌合される。よって、浄水器用カートリッジ上の出口を蓋体の流出口に螺合するように構成された従来の浄水器とは異なって、浄水器用カートリッジ１８の脱着交換を容易かつ短時間に行うことができる。
【００１９】
従って、この実施形態によれば、以下のような効果を得ることができる。
（Ａ）　この浄水器１１においては、有底筒状の容器本体１２内に浄水器用カートリッジ１８を挿入し、その浄水器用カートリッジ１８の底部を容器本体１２の内底部に当接させて位置規制するようになっている。また、この状態で容器本体１２の上端開口部に蓋体１３を閉鎖装着することにより、浄水器用カートリッジ１８の頂部に突設した出口１９がシールリング２０を介して、蓋体１３の頂壁に設けた流出口１７に嵌合されるようになっている。
【００２０】
このため、容器本体１２の上端開口部に蓋体１３を取り付けまたは取り外すという簡単な操作のみにより、浄水器１１がジュース類分与装置に用いられていても、容器本体１２及び蓋体１３間に浄水器用カートリッジ１８を容易に着脱することができる。
【００２１】
（Ｂ）　この浄水器１１においては、前記出口１９が浄水器用カートリッジ１８の頂部中心に突設され、前記流出口１７が蓋体１３の頂壁中心に設けられている。このため、浄水器用カートリッジ１８を容器本体１２に対して、所定位置に位置合わせして取り付ける必要がなく、浄水器用カートリッジ１８の着脱を一層容易に行うことができる。
【００２２】
（第２実施形態）
次に、この発明の第２実施形態を、前記第１実施形態と異なる部分を中心に説明する。この実施形態においても、浄水器１１はジュース類分与装置に用いられる。
【００２３】
さて、この第２実施形態においては、図３及び図４に示すように、浄水器用カートリッジ１８の下蓋２３に複数の流通孔３１が形成され、その上面には樹脂フィルタ３２が配設されている。そして、容器本体１２内に流入した原水が、容器本体１２の内底部から、これらの流通孔３１を介して濾過部２１の濾材２６内へ円滑に流動して、容器本体１２の内底部に原水が滞留するのが抑制されるようになっている。
【００２４】
この第２実施形態においては、流通孔３１に対する原水の流通が阻害されないないように容器本体１２の底部の曲率が設定されている。
従って、この第２実施形態によれば、前記第１実施形態における（Ａ）及び（Ｂ）に記載の効果に加えて、以下のような効果を得ることができる。
【００２５】
（Ｃ）　この浄水器１１においては、容器本体１２の内底部に原水が滞留するのを抑制するために、容器本体１２の底部の曲率を設定している。このため、第１実施形態のような突条２８不要になり、容器本体１２の製造を容易に行うことができる。
【００２６】
（変更例）
なお、この実施形態は、次のように変更して具体化することも可能である。
・　前記第１及び第２実施形態において、浄水器用カートリッジ１８の上蓋２２と下蓋２３との間に、原水を通過させるための通水路を形成すること。このように構成した場合には、流入口１６から容器本体１２内に流入した原水が、通水路を介して容器本体１２の内底部に流れた後、浄水器用カートリッジ１８の周側部に流れる。このため、容器本体１２の内底部における原水の滞留抑制効果を一層高めることができる。
【００２７】
・　前記第１，第２実施形態において、流出口１７と出口１９との間のシールリング２０を流出口１７の内面側に設けること。
（別の技術的思想）
さらに、上記実施形態により把握される請求項以外の技術的思想について、以下にそれらの効果とともに記載する。
【００２８】
・　ジュース類分与装置に用いられる請求項１〜請求項３，前記技術思想（１）項，（２）項のうちのいずれか一項に記載の浄水器。
【００２９】
【発明の効果】
以上、実施形態で例示したように、この発明においては、容器本体及び蓋体間に浄水器用カートリッジを容易かつ短時間に着脱することができる。
【図面の簡単な説明】
【図１】第１実施形態の浄水器を示す断面図。
【図２】図１の２−２線における断面図。
【図３】第２実施形態の浄水器を示す要部断面図。
【図４】図３の４−４線における断面図。
【図５】従来の浄水器を示す断面図。
【符号の説明】
１１…浄水器、１２…容器本体、１３…蓋体、１５…止め具、１７…流出口、１８…浄水器用カートリッジ、１９…出口、２０…シールリング。
【図１】
2004082067.tif 000003
【図２】
2004082067.tif 000004
【図３】
2004082067.tif 000005
【図４】
2004082067.tif 000006
【図５】
2004082067.tif 000007